(57)【要約】【課題】収納した物の冷却／保温効果をより長く保持可能で、冷却材を収納した際には結露作用による水滴の発生を抑えることができ、何度でも使用可能なポケットクーラーを提供する。【解決手段】開口部５に沿って紐６を取り付けた保冷／保温効果を有する袋体３を折り畳み、外装用袋２内に収納する。袋体３の開口部５近傍の一部に粘着性を有するシール７を設け、袋体３の開口部５を丸めてシール７により仮着し、開口部５を閉塞し、その開放を防ぐ。外装用袋２に収納した袋体３に取り付けた紐６の端部６ａ，６ｂを外装用袋２の端部２ａ，２ｂにそれぞれ固着しつつ、外装用袋２の端部２ａ，２ｂを封止する。外装用袋２には、端部２ａの近傍に開封用の破断線４を設け、袋体３の使用時には破断線４に沿って外装用袋２を開封し、袋体３を取り出す。そして、使用後は袋体３を外装用袋２に収納する。【選択図】　図２
2004067138.tif 000002
【特許請求の範囲】
【請求項１】
開口縁に沿って紐を取り付けた保冷／保温効果を有する袋体を折り畳み、外装用袋内に収納して上記紐の両端部を上記外装用袋の両端部にそれぞれ固着し、かつ外装用袋の所要位置に開封用の破断線を設けたことを特徴とするポケットクーラー。
【請求項２】
上記袋体は、表側にアルミ蒸着を施し中側を発泡ポリエチレンにより形成したことを特徴とする請求項１記載のポケットクーラー。
【請求項３】
上記袋体には、その開口縁近傍の一部に粘着性を有するシールを設けたことを特徴とする請求項１記載のポケットクーラー。
【発明の詳細な説明】
【０００１】
【発明の属する技術分野】
本発明は、保冷材等を収納しその効果を長い時間保持可能なポケットクーラーに関する。
【０００２】
【従来の技術】
一般に、保冷材は冷蔵庫で冷却し、外出時などに持ち出して使用している。
【０００３】
【発明が解決しようとする課題】
しかし、保冷材を持ち運ぶ際には外気の温度が作用し、保冷効果を維持する時間が短くなるという問題点があった。また、保冷材の表面には結露作用で水滴が発生し、保冷材に接触している物が濡れるという問題点があった。
【０００４】
本発明は、上記従来の問題点に鑑みてなされたもので、収納した物の冷却／保温効果をより長く保持可能で、冷却材を収納した際には結露作用による水滴の発生を抑えることができ、何度でも使用可能なポケットクーラーを提供することを目的とする。
【０００５】
【課題を解決するための手段】
上記目的を達成するために、本発明の請求項１のポケットクーラーは、開口縁に沿って紐を取り付けた保冷／保温効果を有する袋体を折り畳み、外装用袋内に収納して上記紐の両端部を上記外装用袋の両端部にそれぞれ固着し、かつ外装用袋の所要位置に開封用の破断線を設けたことを特徴とする。
【０００６】
本発明の請求項２のポケットクーラーは、請求項１のポケットクーラーにおいて、上記袋体は、表側にアルミ蒸着を施し中側を発泡ポリエチレンにより形成したことを特徴とする。
【０００７】
本発明の請求項３のポケットクーラーは、請求項１のポケットクーラーにおいて、上記袋体には、その開口縁近傍の一部に粘着性を有するシールを設けたことを特徴とする。
【０００８】
本発明の請求項１のポケットクーラーによれば、袋体と外装用袋が紐を介して一体的に連結されているので、破断線に沿って外装用袋を分断して袋体を取り出しても、袋体と外装用袋が離ればなれになることがなく、袋体の使用後に再び外装用袋内に収納し長時間に渡って何回でも袋体を使用することができる。
【０００９】
本発明の請求項２のポケットクーラーによれば、表側にアルミ蒸着を施し中側を発泡ポリエチレンにより形成した袋体であるので、保温効果を有し、内部に物を収納して開口部を塞ぐことで、収納した物の保冷／保温効果を長時間保持することができる。さらに、袋体に保冷材を収納した場合にあっても、袋体の内部が保冷材と同様の温度になり、保冷材への結露を低減させることができる。
【００１０】
本発明の請求項３のポケットクーラーによれば、袋体の開口部を丸めてシールに貼り付け、開口部の開放を防ぎ内部に収納した物と外気との接触を防ぐことができる。
【００１１】
【発明の実施の形態】
（実施の形態１）
本発明の実施の形態１を図１から図３を用いて説明する。図１はポケットクーラーの全体を示す正面図、図２は袋体を外装用袋から取り出した状態を示す正面図、図３は使用後の袋体を外装用袋に再び収納する過程を示す正面図である。
【００１２】
図１に示すように、ポケットクーラー１は、外装用袋２に袋体３を収納し、外装用袋２を破断線４に沿って分断することにより袋体３を外装用袋２から取り出して使用可能に構成されている。
【００１３】
外装用袋２は、熱溶着可能な素材（例えばポリエチレンなどの樹脂材）が用いられており、筒状の両端部２ａ，２ｂを熱溶着してポケットに収納可能な大きさの長方形状に形成され、一方の端部２ａ近傍には開封用の破断線４が形成されている。
【００１４】
袋体３は、図２に示すように、表側３ａにアルミ蒸着が施され、中側３ｂに発泡ポリエチレンが用いられており、袋体３の開口部５近傍には、開口縁に沿って熱溶着可能な紐６が両端部６ａ，６ｂを袋体３の側部に突出させて固着されている。袋体３は、所要の大きさに折り畳まれて両端部２ａ，２ｂを開放してある外装用袋２に収納され、外装用袋２の両端部２ａ，２ｂを熱溶着して封止する際に、外装用袋２の端部２ａ，２ｂに紐６の端部６ａ，６ｂが固着されている。紐６の端部６ａ側の突出長さは、袋体３を外装用袋２から完全に取り出せる長さを有している。袋体３の開口部５近傍には、その一部分に紐６を跨ぐように粘着性を有するシール７が設けられており、袋体３を所要の大きさに折り畳む際にはシール７が袋体３に包み込まれ外装用袋２に接着することはない。
【００１５】
外装用袋２から取り出した袋体３には、開口部５から冷却材などの保温材を収納し、開口部５を丸めて閉塞しシール７により仮着して開口部５の開放を防ぐとともに、袋体３の内部と外気との接触を防げることができる。一方、袋体３から内部に収納した物を取り出す際には、シール７による仮着を解除して容易に開口部５を開口して行うことができる。
【００１６】
この袋体３は、収納した物を取り出した後、袋体３を折り畳んで外装用袋２に収納し、その後に袋体３を外装用袋２から取り出して使用することができる。袋体３を外装用袋２に再び収納する際には、図３（ａ）に示すように、まず紐６に直交する方向に袋体３を３つ折りに畳んで短冊形状にする。そして、図３（ｂ）に示すように、短冊形状の袋体３を下方から丸めて外装用袋２に収納可能な大きさにし、図３（ｃ）に示すように、袋体３を外装用袋２の端部２ａごと外装用袋２に収納する。
【００１７】
本実施の形態によれば、外装用袋２から取り出した袋体３に冷却材などを収納し、袋体３の開口部５を閉塞することで、袋体３に収納した物の冷却／保温効果を長い間維持することができる。この開口部５の閉塞はシール７による仮着で確実に行えるとともに、不用意な開口部５の開放を防ぐことができる。また、外装用袋２と袋体３は、紐６を介して一体的に結合されているので、外装用袋２を破断線４に沿って分断して袋体３を外装用袋２から取り出しても離ればなれにならず、袋体３を再び外装用袋２に収納することができるので、再びポケットなどにしまって保管し、何回でも袋体３の使用を行うことができる。さらに、袋体３を使用する際に、外装用袋２と袋体３が分離しないので、分断した外装用袋２が捨てられてゴミとならず、環境を害する恐れをなくすることができる。
【００１８】
【発明の効果】
本発明のポケットクーラーによれば、袋体を外装用袋に収納してあるので、ポケットなどに入れて持ち運びが容易である。また、袋体を使用する際に外装用袋を分断して取り出しても、紐を介して袋体と外装用袋とは一体的に連結されているので、離ればなれにならず、外装用袋体がゴミとならないとともに、使用後の袋体を再び外装用袋体に収納して持ち運べ、何回で袋体を使用することができる。また、袋体は冷却／保温効果を有しているので、袋体に収納した物、例えば保冷材であれば外出時の持ち運びの際に、袋体の開口部をシールにより確実に閉塞することで保冷材の保冷効果を長い間維持することができる。
【図面の簡単な説明】
【図１】本発明の実施の形態１を示す正面図である。
【図２】本発明の実施の形態１における袋体を外装用袋から取り出した状態を示す正面図である。
【図３】本発明の実施の形態１における袋体を外装用袋に再び収納する過程を示す正面図である。
【符号の説明】
１　ポケットクーラー
２　外装用袋
３　袋体
４　破断線
５　開口部
６　紐
７　シール
【図１】
2004067138.tif 000003
【図２】
2004067138.tif 000004
【図３】
2004067138.tif 000005